(57)【要約】【課題】安否を、悪用されることなく、監視対象者個々人を識別して、容易に確認できる。【解決手段】セットトップボックスと、サーバと、端末とを備えたシステムであって、  セットトップボックスは、テレビの視聴情報をＩＣカードに暗号化させ、ＩＣカードからＩＤを受信し、暗号化された視聴情報をＩＤと共にサーバに送信し、  サーバは、暗号化された視聴情報をＩＤと共に保存して管理し、  端末は、暗号化された視聴情報をＩＤと共にサーバから受信し、暗号化された視聴情報を復号化して、暗号化された視聴情報と共に受信したＩＤで識別される監視対象者の安否確認に供することを特徴とする安否確認システム。【選択図】図１
2010288173.tif 000002
【特許請求の範囲】
【請求項１】
セットトップボックスと、サーバと、端末とを備えたシステムであって、
セットトップボックスは、テレビの視聴情報をＩＣカードに暗号化させ、ＩＣカードからＩＤを受信し、暗号化された視聴情報をＩＤと共にサーバに送信し、
サーバは、暗号化された視聴情報をＩＤと共に保存して管理し、
端末は、暗号化された視聴情報をＩＤと共にサーバから受信し、暗号化された視聴情報を復号化して、暗号化された視聴情報と共に受信したＩＤで識別される監視対象者の安否確認に供することを特徴とする安否確認システム。
【請求項２】
視聴情報は、テレビのスイッチをＯＮ或いはＯＦＦにした情報であることを特徴とする請求項１記載の安否確認システム。
【請求項３】
セットトップボックスと、サーバと、端末とが実行する方法であって、
セットトップボックスが、テレビの視聴情報をＩＣカードに暗号化させ、ＩＣカードからＩＤを受信し、暗号化された視聴情報をＩＤと共にサーバに送信し、
サーバが、暗号化された視聴情報をＩＤと共に保存して管理し、
端末が、暗号化された視聴情報をＩＤと共にサーバから受信し、暗号化された視聴情報を復号化して、暗号化された視聴情報と共に受信したＩＤで識別される監視対象者の安否確認に供することを特徴とする安否確認方法。
【請求項４】
視聴情報は、テレビのスイッチをＯＮ或いはＯＦＦにした情報であることを特徴とする請求項３記載の安否確認方法。
【発明の詳細な説明】
【技術分野】
【０００１】
本発明は、高齢者や独居者の安否または共働き家庭で留守番をしている子女の在宅状況を確認し、異常状態にあると判断されるときには、その旨を予め指定された連絡先に連絡するシステム或いは方法に関する。
【背景技術】
【０００２】
従来から、高齢者や独居者の安否または共働き家庭で留守番をしている子女の在宅状況を確認し、異常状態にあると判断されるときには、その旨を予め指定された連絡先に連絡するシステム或いは方法が知られている。
【０００３】
このようなシステムには特許文献１記載の生活モニターシステムがあり、これは、電子ポットなどの家庭内に配設された電気製品の操作または動作を検出し、その情報を家庭外に送信し、多数の監視対象者について、その情報を一元管理し、その情報をもとに監視対象者の安否を確認するものである。
【０００４】
しかしながら、特許文献１記載の生活モニターシステムは、監視対象者宅に、このシステムを実現するための電気製品や、電気製品の操作または動作情報を検出し外部に送信するための装置を設置するため、コストが掛かり、初期設置が煩雑という欠点がある。
【０００５】
これに対して、特許文献２記載の安否確認方法は、操作情報取得対象となる電子製品をＤＴＶ（デジタルテレビジョン）に限定することで、上記の欠点を解決している。ＤＴＶ受信装置は、電話コードによって電話回線に接続でき、外部と双方向通信を行うことができるような構成となっているため、特別な送受信装置を設置する必要がないからである。
【０００６】
しかしながら、一般に、安否或いは在宅状況は、これを収集することで監視対象者の生活パターンが分かり、空き巣に入りやすい時間帯を割り出すなどの目的に悪用される可能性がある。
【０００７】
また、安否或いは在宅を確認したい対象者が複数人いた場合に、どの対象者が電気製品を操作しているのかを特定することができない。例えば、共働きの家庭に二人の子女がいた場合に、どちらの子供が学校から帰宅し、在宅してテレビを見ているのかが分からない。
【先行技術文献】
【特許文献】
【０００８】
【特許文献１】特開２００２−７３９６６号公報
【特許文献２】特開２００２−３１４７１４号公報
【発明の概要】
【発明が解決しようとする課題】
【０００９】
本発明は斯かる背景技術に鑑みてなされたもので、安否を、悪用されることなく、監視対象者個々人を識別して、容易に確認できることを課題とする。
【課題を解決するための手段】
【００１０】
本発明において上記課題を解決するために、まず請求項１の発明では、セットトップボ
ックスと、サーバと、端末とを備えたシステムであって、
セットトップボックスは、テレビの視聴情報をＩＣカードに暗号化させ、ＩＣカードからＩＤを受信し、暗号化された視聴情報をＩＤと共にサーバに送信し、
サーバは、暗号化された視聴情報をＩＤと共に保存して管理し、
端末は、暗号化された視聴情報をＩＤと共にサーバから受信し、暗号化された視聴情報を復号化して、暗号化された視聴情報と共に受信したＩＤで識別される監視対象者の安否確認に供することを特徴とする安否確認システムとしたものである。
【００１１】
また請求項２の発明では、視聴情報は、テレビのスイッチをＯＮ或いはＯＦＦにした情報であることを特徴とする請求項１記載の安否確認システムとしたものである。
【００１２】
また請求項３の発明では、セットトップボックスと、サーバと、端末とが実行する方法であって、
セットトップボックスが、テレビの視聴情報をＩＣカードに暗号化させ、ＩＣカードからＩＤを受信し、暗号化された視聴情報をＩＤと共にサーバに送信し、
サーバが、暗号化された視聴情報をＩＤと共に保存して管理し、
端末が、暗号化された視聴情報をＩＤと共にサーバから受信し、暗号化された視聴情報を復号化して、暗号化された視聴情報と共に受信したＩＤで識別される監視対象者の安否確認に供することを特徴とする安否確認方法としたものである。
【００１３】
また請求項４の発明では、視聴情報は、テレビのスイッチをＯＮ或いはＯＦＦにした情報であることを特徴とする請求項３記載の安否確認方法としたものである。
【発明の効果】
【００１４】
本発明は、安否を、悪用されることなく、監視対象者個々人を識別して、容易に確認できるという効果がある。
【図面の簡単な説明】
【００１５】
【図１】本発明のハードウェア構成を示す図。
【図２】ＤＴＶ視聴情報の暗号化から復号化までの全体的な流れを示す図。
【図３】視聴覚情報に係るデータの例を示す図。
【図４】データベース登録データの例を示す図。
【図５】暗号処理フローの例を示す図。
【図６】復号処理フローの例を示す図。
【図７】ＩＤ確認処理フローの例を示す図。
【図８】異常状態判定処理フローの例を示す図。
【発明を実施するための形態】
【００１６】
以下に、本発明の一実施形態を説明する。
【００１７】
本発明は、ハードウエアとして、図１に示すように、セットトップボックスと、サーバと、端末とを備え、セットトップボックスは、ＩＣカードリーダライタを備え、このＩＣ
カードリーダライタに挿入されたＩＣカードとデータ通信を行う。
【００１８】
セットトップボックスは、監視対象者宅に設置され、テレビ受像機をネットワークに接続して双方向通信を実現するような家庭用通信端末の総称であり、ケーブルテレビ放送や衛星放送、地上波テレビ放送（デジタル放送、アナログ放送）、ＩＰ放送（プロードバンドＶＯＤなど）などの放送信号を受信して、一般のテレビ受像機で視聴可能な信号に変換するものである。
【００１９】
ＩＣカードは、監視対象者個々人に対して発行され、監視対象者個々人をユニークに特定するＩＤと、暗号鍵とが書き込まれている。
【００２０】
端末は、監視対象者の安否を確認する確認者が使用するものである。
【００２１】
サーバは、コンピュータ本体であるサーバ装置と、データを保存し管理するためのデータベースとを備え、サーバ装置とデータベースとはデータ通信可能に接続されている。
【００２２】
セットトップボックスは、ネットワークを介して、サーバ装置とデータ通信を行う。
【００２３】
サーバ装置は、ネットワークを介して、確認者の端末とデータ通信を行う。
【００２４】
ネットワークは、例えば、インターネット、電話回線であっても良い。
【００２５】
図２に示すように、ＩＣカードは、セットトップボックスから送信される監視対象者のＤＴＶ視聴情報を受信して、ＩＣカード内の暗号鍵で暗号化し、この暗号化情報を、セットトップボックスに返信する。サーバ装置は、セットトップボックスから送信される暗号化情報を受信し、これを復号化せず、暗号化情報のまま、データベースに保存し管理することで、情報漏洩の危険性を軽減する。確認者の端末は、復号鍵を持ち、サーバ装置から送信される暗号化情報を受信して、この復号鍵で復号化して、ＤＴＶ視聴情報を安否確認に供することができる。
【００２６】
暗号化の方式に対しては、共通鍵暗号でも、公開鍵暗号でも良い。データ暗号のためのの鍵は、安否確認のサービス開始時に監視対象者用のＩＣカードに書き込む。データ復号のための鍵は、（１）別途、鍵管理用のサーバを設け、Ｗｅｂ経由で配布する、（２）安否確認のサービス開始時に確認用プログラム（後述する復号処理及び異常判定処理を確認者の端末で行うためのプログラム）と共に確認者に配布、（３）安否確認のサービス開始時に確認者用のＩＣカードに書き込んで発行するなどの何れかであっても良い。
【００２７】
ここで、視聴情報に係るデータの例を、図３に示す。この例では、項目として、ＩＤ、暗号化鍵情報、日付、日時、ＯＮ／ＯＦＦ情報とを含む。日付、日時、ＯＮ／ＯＦＦ情報は、視聴情報として、暗号化の対象となるが、ＩＤ、暗号化鍵情報は、暗号化の対象とならない。
【００２８】
ＯＮ／ＯＦＦ情報は、テレビのスイッチをＯＮしたのか或いはＯＦＦしたのかを示す情報である。
【００２９】
日付、時刻は、それぞれ、ＯＮ／ＯＦＦ情報で示されるＯＮ或いはＯＦＦをした日付、時刻である。
【００３０】
暗号化鍵情報は、暗号化対象の日付、時刻、ＯＮ／ＯＦＦ情報を暗号化する鍵に関する情報であって、例えば、この鍵を指定する暗号化鍵インデックスであっても良い。暗号化
鍵情報は、暗号鍵と共に、ＩＣカードに書き込まれている。
【００３１】
ＩＤは、ＯＮ／ＯＦＦ情報で示されるＯＮ或いはＯＦＦをした監視対象者のＩＤであって、この監視対象に配布されたＩＣカードに記憶され、セットトップボックスのＩＣカードリーダライタによって読み取られたものである。
【００３２】
ここで、データベース登録データの例を、図４に示す。この例では、項目として、ＩＤ、暗号化鍵情報、暗号化された視聴情報とを含む。ＩＤ、暗号化鍵情報は、図３のＩＤ、暗号化鍵情報であり、暗号化された視聴情報は、図３の日付、時刻、ＯＮ／ＯＦＦ情報を、図３の暗号化鍵情報で示される暗号化鍵インデックスの指定する鍵で暗号化したものである。
【００３３】
以下に、暗号処理フローの例を、図５に従って詳細に説明する。
【００３４】
まず、テレビのスイッチがＯＮ或いはＯＦＦされて、テレビの視聴が開始或いは終了すると（Ｓ１）、セットトップボックスは、このＯＮ或いはＯＦＦがなされた日付及び時刻と、ＯＮ或いはＯＦＦの何れがなされたのかを示すＯＮ／ＯＦＦ情報とを、視聴情報（Ｍ）として、ＩＣカードに送信する（Ｓ２）。
【００３５】
次に、ＩＣカードは、視聴情報（Ｍ）を、暗号鍵（Ｋｅ１）を用いて暗号化し（Ｓ３）、暗号化された視聴情報（Ｅ＿Ｋｅ１（Ｍ））を、ＩＤ、暗号化鍵情報と共に、セットトップボックスに送信する（Ｓ４）。
【００３６】
最後に、セットトップボックスは、暗号化された視聴情報（Ｅ＿Ｋｅ１（Ｍ））を、ＩＤ、暗号化鍵情報と共に、サーバに送信する（Ｓ５）。
【００３７】
以下に、復号処理フローの例を、図６に従って詳細に説明する。
【００３８】
まず、確認者の端末は、暗号化された視聴情報に係るデータとして、暗号化された視聴情報（Ｅ＿Ｋｅ１（Ｍ））を、ＩＤ、暗号化鍵情報と共に、サーバ装置から受領する（Ｓ１）。この受領は、一日に数回、指定のメールアドレスで受領するものであっても良いし、Ｗｅｂにより受領するものであっても良い。
【００３９】
確認者の端末に、復号化要求が入力されると（Ｓ２）、確認者の端末は、暗号化された視聴情報（Ｅ＿Ｋｅ１（Ｍ））を、暗号化鍵情報で示される復号鍵（Ｋｄ１）を用いて復号化する（Ｓ３）。
【００４０】
上述のように、監視対象者に対してそれぞれＩＣカードが発行され、このＩＣカード内のユニークなＩＤによって個人を特定しているが、以下に、このＩＤを確認する処理フローの例を、図７に従って詳細に説明する。
【００４１】
まず、セットトップボックスは、ＩＣカードからＩＤを読み出す（Ｓ１）。
【００４２】
次に、セットトップボックスは、読み出したＩＤが、登録ＩＤの何れかと一致するかを確かめる（Ｓ２）。
【００４３】
一致したならば、セットトップボックスは、一致した登録ＩＤに対応した処理を行い（Ｓ３）、他方、一致しないならば、セットトップボックスは、処理を終了する。
【００４４】
以下に、異常状態判定処理フローの例を、図８に従って詳細に説明する。
【００４５】
まず、確認者の端末は、暗号化された視聴情報（Ｅ＿Ｋｅ１（Ｍ））を復号化して得た視聴覚情報（Ｍ）の日付、時刻、ＯＮ／ＯＦＦ情報を参照することにより、暗号化された視聴情報（Ｅ＿Ｋｅ１（Ｍ））と共にサーバ装置から受領したＩＤで特定される監視対象者の最終操作（ＯＮかＯＦＦか）及びその時間（日付及び時刻）を確認者に供して確認させる（Ｓ１）。
【００４６】
次に、確認者の端末は、最終操作時間から現在の時間を引いたものと、予め設定された時間とを比較し、最終操作時間から現在の時間を引いたものが、予め設定された時間よりも大きい場合に（Ｓ２のＹＥＳ）、確認者に、その監視対象者が異常状態にあると判定させて、予め指定された連絡先へ緊急連絡させる。他方、最終操作時間から現在の時間を引いたものが、予め設定された時間以下の場合は（Ｓ２のＮＯ）、その監視対象者が正常状態にあるとして、Ｓ１に戻る。
【図１】
2010288173.tif 000003
【図２】
2010288173.tif 000004
【図３】
2010288173.tif 000005
【図４】
2010288173.tif 000006
【図５】
2010288173.tif 000007
【図６】
2010288173.tif 000008
【図７】
2010288173.tif 000009
【図８】
2010288173.tif 000010